(57)【特許請求の範囲】
【請求項１】
内部に電子回路が収納された第１のカードと第２のカードが選択的に装着される筐体を有するカードコネクタにおいて、
前記第１のカードと前記第２のカードは、前記筐体への挿入方向に向けられる前端部と、前端部と逆側に向く後端部と、挿入方向に沿って延びる一対の側部とを有し、前記両側部の間隔寸法である幅寸法は、前記第１のカードよりも前記第２のカードの方が大きく、前記第１のカードの少なくとも一方の側部と前記第２のカードの少なくとも一方の側部には、前記前端部から後方に向けて延びる薄肉部がそれぞれ形成されており、
前記筐体内には、第１の規制凹部と、前記第１の規制凹部よりも後方に位置する第２の規制凹部とが設けられ、前記第２の規制凹部は、前記第２のカードの薄肉部が入る横方向の幅寸法を有し、前記第１の規制凹部は、前記第１のカードの薄肉部が入り前記第２のカードの薄肉部が入らないように幅寸法が設定され、
前記第１の規制凹部に入る前記第１のカードの薄肉部を覆う第１の規制凸部と、前記第２の規制凹部に入る前記第２のカードの薄肉部を前記第１の規制凸部と同じ側から覆う第２の規制凸部が設けられて、前記第１の規制凸部の突出端面よりも前記第２の規制凸部の突出端面がカードの中心から離れる側に位置しており、
前記第１のカードの薄肉部が前記第１の規制凹部に入った位置で前記第１のカードの挿入方向への位置を決める第１の当接部と、前記第２のカードの薄肉部が前記第２の規制凹部に入った位置で前記第２のカードの挿入方向の位置を決める第２の当接部とが設けられていることを特徴とするカードコネクタ。
【請求項２】
前記第１のカードが前記第１の当接部で位置決めされたときに、前記第１のカードの薄肉部の一部が前記第２の規制凹部に入り込む請求項１記載のカードコネクタ。
【請求項３】
前記第１の規制凸部の突出端面と前記第２の規制凸部の突出端面との段差部が前記第２の当接部とされており、前記第２のカードの厚肉部の端部が前記第２の当接部に当接して位置決めされる請求項１または２記載のカードコネクタ。
【請求項４】
前記第２の規制凹部の内部に、前記第２のカードの薄肉部の端部が当たる前記第２の当接部が設けられている請求項１または２記載のカードコネクタ。
【請求項５】
前記第１のカードは、前記第１の規制凸部の突出端面によって幅方向の動きが規制され、前記第２のカードは、前記第２の規制凸部の突出端面によって幅方向の動きが規制される請求項１ないし４のいずれかに記載のカードコネクタ。
【請求項６】
前記筐体内には、カードの挿入方向へ移動するスライダと、このスライダをカードの排出方向へ付勢する付勢部材と、挿入方向へ移動した前記スライダをロックするロック機構とが設けられ、
前記第１の規制凹部と前記第２の規制凹部ならびに前記第１の規制凸部と前記第２の規制凸部および前記第１の当接部と前記第２の当接部が、前記スライダに設けられており、
前記スライダには、前記第１のカードが前記第１の当接部に位置決めされた状態で前記第１のカードを保持する位置決め凸部と、前記第２のカードが前記第２の当接部に位置決めされた状態で前記第２のカードを保持する位置決め凸部とが設けられている請求項１ないし５のいずれかに記載のカードコネクタ。
【請求項７】
前記筐体内には、前記第１のカードに設けられた外部接続部と接触する第１の接続端子と、前記第２のカードに設けられた外部接続部と接触する第２の接続端子とが設けられている請求項１ないし６のいずれかに記載のカードコネクタ。
【請求項８】
前記筐体の内部に装着される前記第１のカードの後端部と、前記筐体の内部に装着される前記第２のカードの後端部とが同じ位置となる請求項１ないし７のいずれかに記載のカードコネクタ。
【発明の詳細な説明】
【技術分野】
【０００１】
本発明は、小型で薄型のケース内にメモリチップなどの電子回路が収納されたカードが装着されるカードコネクタに係り、ケースの形状が互いに相違している２種類のカードが筐体内に確実に位置決めできるカードコネクタに関する。
【背景技術】
【０００２】
デジタルカメラやデジタルビデオカメラ、またはパーソナルコンピュータなどには、メモリカードと称される小型で薄型の電子機能カードが装着されて使用される。この電子機能カードは、合成樹脂材料で形成された小型で薄型のケース（ハウジングと称されることもある）内に、メモリチップや、メモリコントローラなどとして機能するＩＣチップが収納されている。ケースの表面には、内部の電子回路に導通する複数の外部接続部が設けられている。
【０００３】
この種の電子機能カードが装着されるカードコネクタは、筐体の前端部にスリット状の挿入口が開口しており、電子機能カードは、カードの表面と平行な向きで、前記挿入口から筐体の内部に挿入されて装着される。カードコネクタ内には、所定位置まで挿入された電子機能カードを位置決めする位置決め機構が設けられており、位置決めされたカードに設けられている外部接続部が、カードコネクタの内部に設けられている接続端子と接続される。
【０００４】
カードコネクタには、異なる種類のカードをそれぞれ選択的に挿入できるものがある。この種のカードコネクタでは、異なる寸法のカードを、筐体内において、それぞれのカードに適した位置に位置決めして、それぞれのカードに設けられた外部接続部を、筐体内の接続端子に接触させることが必要である。
【０００５】
以下の特許文献１に記載のカードコネクタは、スライダの前方に当接部が形成され、またこの当接部よりも挿入口側において、スライダにアーム部材が回動自在に支持されているとともにこのアーム部材と連動して側方へ移動するストッパ部材が設けられている。前後方向の寸法の長い第１のカードが挿入されると、第１のカードの前端部によって前記ストッパ部材が側方へ移動させられ、第１のカードが前記ストッパ部材に当たることなく奥側へ挿入されてスライダの当接部に当たる。第１のカードよりも短い第２のカードが挿入されると、この第２のカードの前端部が前記ストッパ部材に当たる。
【０００６】
スライダには、第１のカードまたは第２のカードと嵌合する仮止め部材が設けられている。第１のカードの前端部が位置決めされ、前記仮止め部材によって第１のカードとスライダとが連結されると、第１のカードと共にスライダが筐体の奥側へ移動させられて前記ロック機構でロックされる。同様に、第２のカードの前端部が前記ストッパ部材に当たって位置決めされ、前記仮止め部材によって第２のカードとスライダとが連結されると、第２のカードと共にスライダが筐体の奥側へ移動させられて前記ロック機構でロックされる。
【０００７】
以下の特許文献２に記載されたカードコネクタは、幅寸法と厚さ寸法が互いに相違する２種類のカードがそれぞれ装着可能である。カードコネクタの筐体内には、高さ方向の開口寸法の相違する２種類の案内部が互いに重複して設けられて、一方のカードの案内部と他方のカードの案内部との間には段差部が形成されている。幅寸法が小さく厚さ寸法が大きいカードは、筐体内の高さ方向の開口寸法が大きい案内部内に挿入され、幅寸法が大きく厚さ寸法の小さい他方のカードは、段差部の上に形成されている高さ方向の開口寸法の小さい案内部内に挿入される。
【特許文献１】特開２００７−１６５２２９号公報
【特許文献２】特開２００４−６２７１５号公報
【発明の開示】
【発明が解決しようとする課題】
【０００８】
前記特許文献１と特許文献２に記載されたカードコネクタは、いずれも幅寸法の相違する２種類のカードを、それぞれ筐体内の適正な位置で位置決めできる利点を有している。
【０００９】
ただし、特許文献１と特許文献２に記載されたカードコネクタは、幅寸法の相違する２種類のカードや幅寸法と厚さ寸法とが相違する２種類のカードの側部が案内されて筐体内に導かれる構造である。それぞれのカードは、幅方向に規制できるが厚さ方向に規制できない。そのために、筐体内に挿入されたカードが厚さ方向にがたつきやすく、またこのがたつきを防止するには筐体内でカードを厚さ方向へ強い力で付勢する押圧機構が必要になる。この押圧機構を強固なものにしなくてはならないために、筐体内の構造が複雑になり、筐体の薄型化も阻害しやすい。
【００１０】
また、特許文献１と特許文献２に記載されたカードコネクタでは、幅方向の両側部に段差部が設けられて薄肉部が形成されている複雑な形状のカードに対しては適用しにくい。
【００１１】
本発明は、上記従来の課題を解決するものであり、異なる形状のカードを筐体の内部で幅方向と厚さ方向に確実に位置決めできるカードコネクタを提供することを目的としている。
【課題を解決するための手段】
【００１２】
本発明は、内部に電子回路が収納された第１のカードと第２のカードが選択的に装着される筐体を有するカードコネクタにおいて、
前記第１のカードと前記第２のカードは、前記筐体への挿入方向に向けられる前端部と、前端部と逆側に向く後端部と、挿入方向に沿って延びる一対の側部とを有し、前記両側部の間隔寸法である幅寸法は、前記第１のカードよりも前記第２のカードの方が大きく、前記第１のカードの少なくとも一方の側部と前記第２のカードの少なくとも一方の側部には、前記前端部から後方に向けて延びる薄肉部がそれぞれ形成されており、
前記筐体内には、第１の規制凹部と、前記第１の規制凹部よりも後方に位置する第２の規制凹部とが設けられ、前記第２の規制凹部は、前記第２のカードの薄肉部が入る横方向の幅寸法を有し、前記第１の規制凹部は、前記第１のカードの薄肉部が入り前記第２のカードの薄肉部が入らないように幅寸法が設定され、
前記第１の規制凹部に入る前記第１のカードの薄肉部を覆う第１の規制凸部と、前記第２の規制凹部に入る前記第２のカードの薄肉部を前記第１の規制凸部と同じ側から覆う第２の規制凸部が設けられて、前記第１の規制凸部の突出端面よりも前記第２の規制凸部の突出端面がカードの中心から離れる側に位置しており、
前記第１のカードの薄肉部が前記第１の規制凹部に入った位置で前記第１のカードの挿入方向への位置を決める第１の当接部と、前記第２のカードの薄肉部が前記第２の規制凹部に入った位置で前記第２のカードの挿入方向の位置を決める第２の当接部とが設けられていることを特徴とするものである。
【００１３】
本発明のカードコネクタは、それぞれ側部に薄肉部が形成されている第１のカードと第２のカードを幅方向と厚さ方向に確実に位置決めすることができる。筐体内に位置決めされた第１のカードおよび第２のカードは、厚さ方向への動きが規制されるために、それぞれのカードに設けられた外部接続部と、筐体に設けられた接続端子との接触も良好になる。また、筐体内でカードに厚さ方向の付勢力を与えるための機構を、例えば接続端子の弾性力を利用するなどして簡単な構造にできる。また、側部に薄肉部が形成された複雑な形状の第１のカードと第２のカードを位置決めすることができる。
【００１４】
本発明は、前記第１のカードが前記第１の当接部で位置決めされたときに、前記第１のカードの薄肉部の一部が前記第２の規制凹部に入り込む構造にできる。
【００１５】
第２の規制凹部に第２のカードのみならず第１のカードの薄肉部が入り込める構造であると、前後に長い寸法の第１のカードの薄肉部を厚さ方向へ確実に規制できるようになる。
【００１６】
本発明は、前記第１の規制凸部の突出端面と前記第２の規制凸部の突出端面との段差部が前記第２の当接部とされており、前記第２のカードの厚肉部の端部が前記第２の当接部に当接して位置決めされるものにできる。
【００１７】
上記のように、第１の規制凸部の突出端面と第２の規制凸部の突出端面との段差部に第２の当接部が形成されていると、第２の当接部のための新たな段差部などを設けることが不要になり構造を簡単にできる。また第２のカードの厚肉部が第２の当接部に当接する構造であるため、可動部を使用することなく、第２のカードの前方への位置決めを確実にできるようになる。
【００１８】
または、本発明では、前記第２の規制凹部の内部に、前記第２のカードの薄肉部の端部が当たる前記第２の当接部が設けられているものであってもよい。
【００１９】
さらには、前記第１の規制凸部の突出端面と前記第２の規制凸部の突出端面との段差部に形成された前記第２の当接部と、前記第２の規制凹部の内部に設けられた前記第２の当接部とによって、第２のカードの厚肉部と薄肉部の双方を位置決めできるようにしてもよい。
【００２０】
また本発明は、前記第１のカードは、前記第１の規制凸部の突出端面によって幅方向の動きが規制され、前記第２のカードは、前記第２の規制凸部の突出端面によって幅方向の動きが規制されるものが好ましい。
【００２１】
第１の規制凸部の突出端面と第２の規制凸部の突出端面を使用してカードの幅方向を位置決めすると、第１の規制凹部や第２の規制凹部の側方に、カードの側部を位置決めする機構を設けることが不要になる。
【００２２】
本発明は、前記筐体内には、カードの挿入方向へ移動するスライダと、このスライダをカードの排出方向へ付勢する付勢部材と、挿入方向へ移動した前記スライダをロックするロック機構とが設けられ、
前記第１の規制凹部と前記第２の規制凹部および前記第１の当接部と前記第２の当接部が、前記スライダに設けられており、
前記スライダには、前記第１のカードが前記第１の当接部に位置決めされた状態で前記第１のカードを保持する位置決め凸部と、前記第２のカードが前記第２の当接部に位置決めされた状態で前記第２のカードを保持する位置決め凸部とが設けられているものとして構成できる。
【００２３】
ただし、本発明は、前記第１の規制凹部と第２の規制凹部および第１の当接部と第２の当接部などが、筐体の内部に固定して設けられており、それぞれのカードが、第１の当接部や第２の当接部に当たって位置決めされるものであってもよい。
【００２４】
また、本発明は、前記筐体内には、前記第１のカードに設けられた外部接続部と接触する第１の接続端子と、前記第２のカードに設けられた外部接続部と接触する第２の接続端子とが設けられているものである。
【００２５】
さらに、本発明は、前記筐体の内部に装着される前記第１のカードの後端部と、前記筐体の内部に装着される前記第２のカードの後端部とが同じ位置となる。
【発明の効果】
【００２６】
本発明では、共に側部に薄肉部を有する複雑な形状の第１のカードと第２のカードを、それぞれ筐体内の所定の位置に装着して位置決めできる。また、第１のカードと第２のカードの双方を厚さ方向に位置決めすることができる。また、それぞれのカードの薄肉部が規制凹部内に入る構造であるために、規制部そのものの高さ寸法を大きくする必要はなく、筐体を薄型にしやすい。
【発明を実施するための最良の形態】
【００２７】
図１はカードコネクタの外観を示す斜視図、図２は蓋体を外したカードコネクタを示す斜視図、図３は蓋体を外したカードコネクタを示す平面図である。図４と図５は、第１のカードが装着される過程をカードコネクタの蓋体を外して示す平面図である。図６は第１のカードが前後逆向きに挿入された状態をカードコネクタの蓋体を外して示す平面図である。図７と図８は、第２のカードが装着される過程をカードコネクタの蓋体を外して示す平面図である。図９（Ａ）は、カードコネクタに設けられたスライダの左側部を示す斜視図、図９（Ｂ）は前記スライダの左側部を斜め下側から示す斜視図である。
【００２８】
図１０以下には、前記カードコネクタに装着されるカードが示されている。図１０は第１のカードの平面図、図１１は第１のカードの左側面図、図１２は第１のカードを斜め下側から示す斜視図である。図１３は、第２のカードの平面図、図１４（Ａ）は第２のカードの右側面図、図１４（Ｂ）は第２のカードの左側面図である。図１５は第２のカードを斜め下側から示す斜視図である。
【００２９】
図１６と図１７は、第１のカードと第２のカードを左側部と後端部を一致させて重ねて示すものであり、図１６が平面的に重ねて示した平面図で、図１７が三次元的に重ねて示した斜視図である。なお、図１６と図１７では、第１のカードが破線で示され、第２のカードが実線で示されている。
【００３０】
（第１のカードの形状）
図１０ないし図１２に示される第１のカードＣ１は、いわゆるマルチメディアカードなどのメモリデバイスとして使用されるものである。第１のカードＣ１は、プラスチック製のケース１を有しており、このケース１内に、フラッシュメモリなどのメモリチップや、メモリコントローラとして機能するＩＣチップなどが収納されている。
【００３１】
図１１に示すように、ケース１は、第１の面である表面１ａと第２の面である裏面１ｂを有している。表面１ａと裏面１ｂは互いに平行な平面であり、表面１ａと裏面１ｂの間隔が第１のカードＣ１の厚さ寸法Ｔ１である。図１２に示すように、裏面１ｂの前方には、複数個（１３個）の外部接続部５が露出している。外部接続部５の表面はケース１の裏面１ｂとほぼ同一面である。
【００３２】
ここで、「表面」と「裏面」とは外部接続部５を有する面と有しない面を識別するための便宜上の名称であり、カードコネクタ２０に対し、表面１ａを上向きにして装着してもよいし、裏面１ｂを上向きにして装着してもよい。
【００３３】
図１０ないし図１２に示すように、ケース１は前端部１ｃと、後端部１ｄを有している。また右側部１ｅと左側部１ｆを有している。
【００３４】
図１１に示すように、前端部１ｃは、表面１ａと垂直な平面であり、表面１ａと裏面１ｂとの角部には前方傾斜面２が形成されている。後端部１ｄは、表面１ａおよび裏面１ｂに垂直な平面である。右側部１ｅと左側部１ｆは、表面１ａおよび裏面１ｂと垂直な平面である。図１０に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００３５】
図１０に示すように、ケース１１を表面１ａ側から見た平面図では、ケース１の形状は前後に延びる中心線Ｏ１−Ｏ１を介して左右に対称の形状である。
【００３６】
ケース１の前方部分では、右側部１ｅと左側部１ｆから中心線Ｏ１−Ｏ１に向けて窪む案内溝６，６が形成されている。案内溝６，６は、右側部１ｅおよび左側部１ｆと平行で且つ右側部１ｅおよび左側部１ｆから中心線Ｏ１−Ｏ１に向けて距離Ｗ１だけ内側に位置する内側面６ａ，６ａと、裏面１ｂと平行な内底面６ｃ，６ｃとを有している。そして、右側の案内溝６の後端部と右側部１ｅとの間、および左側の案内溝６の後端部と左側部１ｆとの間には、それぞれ傾斜部６ｂ，６ｂが形成されている。
【００３７】
図１１に示すように、案内溝６，６は、ケース１の表面１ａから裏面１ｂに向けて窪んでいる。ケース１の表面１ａから案内溝６の内底面６ｃまでの距離、すなわち案内溝６，６の表面１ａから裏面１ｂに向けた深さ寸法ｔ１は、第１のカードＣ１の全体の厚さ寸法Ｔ１のほぼ１／２である。また、前記案内溝６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、第１のカードＣ１の全体の厚さ寸法Ｔ１のほぼ１／２である。
【００３８】
案内溝６，６は、前端部１ｃの左右両側部にて前方に開放されている。よって、図１２に示すように、前端部１ｃの厚さ寸法は、その中央のほとんどの部分がＴ１であるが、両側部においては、厚さ寸法はｔ２である。
【００３９】
ケース１の右側部１ｅと左側部１ｆでは、案内溝６，６の後端部よりも後方に、掛止凹部８，８が形成されている。掛止凹部８，８は、右側部１ｅおよび左側部１ｆよりも中心線Ｏ１−Ｏ１側に位置し且つ右側部１ｅおよび左側部１ｆと平行な内側端８ａ，８ａを有している。右側部１ｅから内側端８ａまでの幅寸法ならびに左側部１ｆから前内端８ｂまでの幅寸法Ｗ２は、前記案内溝６，６の幅寸法Ｗ１とほぼ同じである。
【００４０】
掛止凹部８，８は、前内端８ｂと後内端８ｃを有している。後内端８ｃから第１のカードＣ１の後端部１ｄまでの距離はＬ１である。さらに、図１１と図１２に示すように、掛止凹部８，８は、裏面１ｂと平行な面である内底端８ｄ，８ｄを有している。すなわち、右側部１ｅに設けられ掛止凹部８と左側部１ｆに設けられた掛止凹部８は、共に、第１のカードＣ１の表面１ａから裏面１ｂに向けて貫通しておらず、掛止凹部８，８は、表面１ａから裏面１ｂにかけて所定の深さ寸法ｔ３を有している。この深さ寸法ｔ３は、前記案内溝６の深さ寸法ｔ１よりもやや大きい。
【００４１】
図１０に示すように、ケース１の後端部１ｄよりも少し前方には、表面１ａから窪む摘み凹部９が形成されている。図１に示すように、第１のカードＣ１がカードコネクタ２０に装着されると、前記摘み凹部９を有する後端部分が、カードコネクタ２０から突出する。この摘み凹部９に指の爪を掛けるなどして、第１のカードＣ１をカードコネクタ２０から引き出すことができる。
【００４２】
第１のカードＣ１は、前記案内溝６，６と掛止凹部８，８ならびに摘み凹部９を除いた部分で、厚さ寸法Ｔ１が一定である。この厚さ寸法Ｔ１の部分が、第１のカードＣ１の厚肉部である。なお、第１のカードＣ１の前方部分では、前記前方傾斜面２が形成されているか否かにかかわらず、薄肉部７，７以外は厚肉部である。
【００４３】
（第２のカードの形状）
図１３ないし図１５に示される第２のカードＣ２もメモリデバイスとして使用されるものであり、プラスチック製のケース１１の内部に、フラッシュメモリなどのメモリチップや、メモリコントローラとして機能するＩＣチップなどが収納されている。
【００４４】
第１のカードＣ１と第２のカードＣ２とは、ケースの形状が相違しており、且つその機能も相違している。その機能の相違は、例えば、駆動電圧の違い、すなわち、電源用の外部接続部を介して内部の電子回路に供給すべき電圧の相違である。または、内部に収納されているメモリチップのメモリ容量の違いである。
【００４５】
図１４（Ａ）（Ｂ）に示すように、第２のカードＣ２のケース１１は、第１の面である表面１１ａと第２の面である裏面１１ｂを有している。また、図１３に示すように、前端部１１ｃと後端部１１ｄおよび右側部１１ｅと左側部１１ｆを有している。図１４（Ａ）（Ｂ）に示すように、表面１１ａから裏面１１ｂまでの厚さ寸法Ｔａが、第２のカードＣ２の厚さ寸法である。ケース１１は、後端部１１ｄの高さ寸法Ｔｂが、前記厚さ寸法Ｔａよりもやや大きい。第２のカードＣ２の前記厚さ寸法Ｔａは、第１のカードＣ１の厚さ寸法Ｔ１とほぼ同じである。
【００４６】
図１６と図１７に第１のカードＣ１と第２のカードＣ２の形状および寸法の違いが示されているが、図１３に示す第２のカードＣ１の前端部１１ｃから後端部１１ｄまでの縦方向の長さ寸法Ｌａは、図１０に示す第１のカードＣ１の縦方向の長さ寸法Ｌ０より小さい。一方、第２のカードＣ２の右側部１１ｅから左側部１１ｆまでの幅寸法Ｗａは、第１のカードＣ１の幅寸法Ｗ０よりも大きい。
【００４７】
図１３と図１４（Ａ）（Ｂ）に示すように、第２のカードＣ２の両側部には、表面１１ａから裏面１１ｂに向けて窪む案内溝１６，１６が形成されている。右側部１１ｅと左側部１１ｆの双方において、案内溝１６，１６は、第２のカードＣ２の前端部１１ｃを起点として後方に向けて延びており、その後端１６ｂ，１６ｂは、第２のカードＣ２の後端部１１ｄの近傍に位置している。
【００４８】
それぞれの案内溝１６，１６は、第２のカードＣ２の表面１１ａよりも裏面１１ｂ側に寄った位置にあり且つ表面１１ａと平行な内底面１６ｃ，１６ｃを有している。図１４（Ａ）に示すように、表面１１ａから前記内底面１６ｃまでの距離が、案内溝１６，１６の深さ寸法ｔａである。この深さ寸法ｔａは、第２のカードＣ２の厚さ寸法Ｔ１のほぼ１／２である。またこの深さ寸法ｔａは、図１１に示す第１のカードＣ１の案内溝６，６の深さ寸法ｔ１とほぼ同じである。
【００４９】
それぞれの案内溝１６，１６は、第２のカードＣ２の右側部１１ｅと左側部１１ｆのそれぞれよりも中心線Ｏ２−Ｏ２側に位置する内側面１６ａ，１６ａを有している。内側面１６ａ，１６ａは、右側部１１ｅおよび左側部１１ｆと平行な面である。右側部１１ｅから内側面１６ａまでの距離、および左側部１１ｆから内側面１６ａまでの距離が、それぞれ案内溝１６，１６の幅寸法Ｗｂである。この幅寸法Ｗｂは、図１０に示す第１のカードＣ１の案内溝６，６の幅寸法Ｗ１とほぼ同じである。
【００５０】
図１４（Ａ）（Ｂ）に示すように、第２のカードＣ２の右側部１１ｅと左側部１１ｆでは、前記案内溝１６，１６が形成されていることによって、裏面１１ｂ側に薄肉部１７，１７が形成されている。第２のカードＣ２の前端部１１ｃから薄肉部１７，１７の後端部までの縦方向での長さ寸法は、前記案内溝１６，１６の縦方向の長さ寸法と同じである。案内溝１６，１６の内底面１６ｃ，１６ｃから第２のカードＣ２の裏面１１ｂまでの高さ寸法が、薄肉部１７，１７の厚さ寸法ｔｂである。この厚さ寸法ｔｂは、第２のカードＣ２の厚さ寸法Ｔａのほぼ１／２である。
【００５１】
図１３および図１４（Ａ）に示すように、右側部１１ｅには、薄肉部の一箇所が除去された掛止凹部１８が形成されている。掛止凹部１８の内側端１８ａは、前記案内溝１６の内側面１６ａと同一面である。また、掛止凹部１８は、前内端１８ｂと後内端１８ｃとを有している。図１３に示すように、第２のカードＣ２の後端部１１ｄから掛止凹部１８の後内端１８ｃまでの距離Ｌｂが、図１０に示す第１のカードＣ１の後端部１ｄから掛止凹部８の後内端８ｃまでの距離Ｌ１よりも長い。すなわち、図１６および図１７に示すように、第１のカードＣ１の後端部１ｄと第２のカードＣ２の後端部１１ｄを同じ基準位置としたときに、第１のカードＣ１に形成された掛止凹部８と第２のカードＣ２に形成された掛止凹部１８は重なる位置に存在しておらず、第２のカードＣ２の掛止凹部１８が第１のカードＣ１の掛止凹部８よりも前方に位置している。
【００５２】
なお、第２のカードＣ２の両側部に設けられた薄肉部１７，１７のそれぞれには、前記掛止凹部１８よりも後方に位置する後方凹部１９，１９が形成されている。
【００５３】
図１４（Ａ）（Ｂ）に示すように、第２のカードＣ２の表面１１ａの前端部には上側前方傾斜面１２ａが形成され、裏面１１ｂの前端部にも下側前方傾斜面１２ｂが形成されており、厚さ寸法が前方に向かうにしたがって徐々に薄くなっている。
【００５４】
第２のカードＣ２は、薄肉部１７，１７および厚さ寸法がＴｂの後端部１１ｄを除いた厚さ寸法がＴａの部分が厚肉部である。なお、前端部１１ｃでは、前記上側前方傾斜面１２ａおよび下側前方傾斜面１２ｂが形成されている部分であっても、薄肉部１７，１７を除いた部分を厚肉部とする。よって、図１３に示すように、第２のカードＣ２の前端部１１ｃと右側部１１ｅとの境界部、および前端部１１ｃと左側部１１ｆとの境界部では、薄肉部１７，１７の前端部に薄肉前方コーナー曲面１３ｂ，１３ｂが形成され、厚肉部の前端の両側部には、厚肉前方コーナー曲面１３ａ，１３ａが形成されている。
【００５５】
なお、第２のカードＣ２の後端部１１ｄの左右両側部には、後方コーナー曲面１４，１４が形成されている。
【００５６】
図１５に示すように、第２のカードＣ２の裏面１１ｂは、中央部分がやや窪んでいるが、この窪んでいる部分も前記厚肉部である。裏面１１ｂの前方部分には、複数の外部接続部１５が露出している。この外部接続部１５は裏面１１ｂと同一面であり、表面に金などの低抵抗材料がメッキされた金属端子である。それぞれの外部接続部１５はケース１１の内部に収納された回路と導通している。
【００５７】
図１６および図１７に示すように、第１のカードＣ１の後端部１ｄと第２のカードＣ２の後端部１１ｄを同じ基準位置としたときに、第１のカードＣ１に設けられた前記外部接続部５は、第２のカードＣ２に設けられた外部接続部１５よりも前方に位置している。
【００５８】
（第１のカードと第２のカードの形状の対比）
図１６と図１７では、第１のカードＣ１と第２のカードＣ２とが、後端部１ｄと後端部１１ｄとを一致させ、左側部１ｆと左側部１１ｆとを一致させ、且つ裏面１ｂと裏面１１ｂとを一致させた状態で、三次元的に重ねて示されている。左側部１ｆと左側部１１ｆとが一致するように重ねられているため、第１のカードＣ１の中心線Ｏ１−Ｏ１よりも第２のカードＣ２の中心線Ｏ２−Ｏ２が図示右側に位置している。
【００５９】
また、第１のカードＣ１の前端部１ｃは、第２のカードＣ２の前端部１１ｃよりも寸法（Ｌ０−Ｌａ）だけ前方に位置している。
【００６０】
第１のカードＣ１の薄肉部７の幅寸法Ｗ１は、第２のカードＣ２の薄肉部１７の幅寸法Ｗｂとほぼ同じであるため、図１６に示すように、第１のカードＣ１の左側部１ｆと第２のカードＣ２の左側部１１ｆとを一致させると、第１のカードの左側の薄肉部７と第２のカードＣ２の左側の薄肉部１７がほぼ重なる。
【００６１】
図１６に示すように、第２のカードＣ２の右側部１１ｅは、第１のカードＣ１の右側部１ｅよりも寸法（Ｗａ−Ｗ０）だけ右側へ突出している。つまり、第２のカードＣ２の右側の薄肉部１７は、第１のカードＣ１の右側部１ｅよりも右側へ寸法（Ｗａ−Ｗ０）だけ突出している。
【００６２】
第１のカードＣ１の薄肉部７の幅寸法Ｗ１と第２のカードＣ２の薄肉部１７の幅寸法Ｗｂとほぼ同じであるため、第２のカードＣ２の案内溝１６の内側面１６ａは、第１のカードＣ１の案内溝６の内側面６ａよりも右側へ寸法（Ｗａ−Ｗ０）だけ突出している。また、第１のカードＣ１の右側部１ｅは、第２のカードＣ２の右側の案内溝１６の内側面１６ａよりも寸法（Ｗｂ−（Ｗａ−Ｗ０））だけ右側に突出している。
【００６３】
したがって、図１６に示すように、第１のカードＣ１と第２のカードＣ２とが重ねられたときに、右前方では、前記寸法（Ｗｂ−（Ｗａ−Ｗ０））の領域で、第１のカードＣ１の薄肉部７と第２のカードＣ２の薄肉部１７とが部分的に重なっている。
【００６４】
（カードコネクタの構造）
次に、前記各種カードが装着されるカードコネクタ２０の構造を説明する。
【００６５】
図１に示すように、カードコネクタ２０は筐体２１を有している。筐体２１は、合成樹脂製の筐体本体２２と、金属板で形成されて筐体本体２２の上方に被せられた蓋体２３とで構成されている。
【００６６】
図２と図３に示すように、筐体本体２２は枠体形状である。筐体本体２２は、前壁部２４、後壁部２５、右壁部２６、左壁部２７および底壁部２８が一体に形成されている。前壁部２４の上面２４ａ、後壁部２５の上面２５ａ、右壁部２６の上面２６ａならびに左壁部２７の上面２７ａは、互いに同一面である。図１に示すように、蓋体２３の天井板２３ａは、筐体本体２２の前記各上面２４ａ，２５ａ，２６ａ，２７ａに密着するように設置されている。蓋体２３には、後側板２３ｂと右側板２３ｃおよび左側板２３ｄが設けられ、これらは天井板２３ａから直角に折り曲げられている。後側板２３ｂは、筐体本体２２の後壁部２５の外面に設置され、右側板２３ｃと左側板２３ｄは、それぞれ筐体本体２２の右壁部２６の外面と左壁部２７の外面に設置されている。
【００６７】
筐体２１の厚さ寸法は、筐体本体２２の底壁部２８の下面から、蓋体２３の天井板２３ａの上面までの高さ寸法で決められている。筐体２１の内部には、筐体本体２２の底壁部２８の上面と蓋体２１の下面とで挟まれた空間が形成されている。この空間は、図示右側が後に説明するスライダ４０の移動領域であり、それよりも左側が、前記第１のカードＣ１または第２のカードＣ２を選択的に挿入可能なカード収納領域である。カード収納領域の内部高さ寸法は、第１のカードＣ１の厚さ寸法Ｔ１（厚肉部の厚さ寸法）および第２のカードＣ２の厚さ寸法Ｔａ（厚肉部の厚さ寸法）よりもわずかだけ大きい寸法である。
【００６８】
図２および図３に示すように、筐体本体２２の左壁部２７の内面が案内基準面２７ｂであり、第１のカードＣ１の左側部１ｆと第２のカードＣ２の左側部１１ｆは、共に前記案内基準面２７ｂを摺動しながら、筐体２１のカード収納領域内を挿入方向である奥側（（ａ）側）へ向けて挿入される。筐体本体２２の前壁部２４の左端部には、前記案内基準面２７ｂに対向する開口壁２４ｂが形成されている。前記案内基準面２７ｂと前記開口壁２４ｂとで挟まれた開口部が挿入口２９である。挿入口２９の開口幅寸法Ｗ１０、すなわち前記案内基準面２７ｂと前記開口壁２４ｂとの対向間隔Ｗ１０は、第２のカードＣ２の幅寸法Ｗａとほぼ同じであり、第２のカードＣ２が通過できる寸法である。
【００６９】
図２と図４に示すように、筐体本体２２の左壁部２７には、カード収納領域に向けて延びる上方案内部３１が一体に設けられている。図４と図５に示すように、筐体２１内のカード収納領域に、第１のカードＣ１が正常な向きで挿入されると、第１のカードＣ１の左側部１ｆの前方に設けられた薄肉部７が、底壁部２８の上面と上方案内部３１の下面との間に入り込む。また、図７と図８に示すように、カード収納領域に、第２のカードＣ２が正常な向きで挿入されたときも、第２のカードＣ２の左側部１１ｆに形成されている薄肉部１７が、底壁部２８の上面と上方案内部３１の下面との間に入り込む。
【００７０】
ただし、第１のカードＣ１の厚肉部と第２のカードＣ２の厚肉部は、上方案内部３１の下側へ入り込むことはできない。
【００７１】
すなわち、上方案内部３１の下面と底壁部２８の上面との間の高さ寸法は、第１のカードＣ１の薄肉部７の厚さ寸法ｔ２ならびに第２のカードＣ２の薄肉部１７の厚さ寸法ｔｂよりもわずかに大きく、且つ第１のカードＣ１の厚肉部の厚さ寸法Ｔ１ならびに第２のカードＣ２の厚肉部の厚さ寸法Ｔａよりも小さい。また、図３に示す案内基準面２７ｂからの上方案内部３１の突出寸法Ｗ１１は、第１のカードＣ１の薄肉部７の幅寸法Ｗ１ならびに第２のカードＣ２の薄肉部１７の幅寸法Ｗｂよりもわずかに小さい。
【００７２】
図２に示すように、筐体本体２２の右側のスライダの移動領域では、底壁部２８の上面に前後方向（（ａ）−（ｂ）方向）に延びるガイド部３４が形成されている。このガイド部３４は、前記底壁部２８の上面から隆起形成されたレールである。筐体本体２２の前記移動領域には合成樹脂製のスライダ４０が設けられており、このスライダ４０が、前記ガイド部３４および右壁部２６の内面に沿って、前後方向へ直線的に往復移動自在に支持されている。
【００７３】
スライダ４０と筐体本体２２との間には、コイルばねなどの付勢部材が設けられており、スライダ４０は、前壁部２４に向けて手前側（（ｂ）側）すなわちカードの排出方向へ向けて常に付勢されている。
【００７４】
スライダ４０と筐体２１との間には、スライダ４０を奥側（（ａ）側）でロックするためのロック機構３５が設けられている。ロック機構３５は、スライダ４０の上面に形成された溝カム４１と、筐体２１に設けられたロックピン３６とで構成されている。
【００７５】
ロックピン３６は、基端部３６ａと先端部３６ｂが直角に折り曲げられている。図３に示すように、ロックピン３６の基端部３６ａは、筐体本体２２の前壁部２４の上部に形成された保持凹部２４ｃ内に回動自在に支持されている。ロックピン３６の先端部３６ｂは、溝カム４１内に摺動自在に挿入されている。図１に示すように、金属板で形成された蓋体２３の天井板２３ａには、右手前側にロック板ばね３７が一体に形成されている。このロック板ばね３７は、天井板２３ａの一部を切り抜いて形成された片持ち支持ばねである。前記ロックピン３６はこのロック板ばね３７によって押圧され、先端部３６ｂが溝カム４１の溝底部に押し付けられている。
【００７６】
図３に示すように、溝カム４１は、奥側（（ａ）側）の端部に位置するロック解除部４１ａと、このロック解除部４１ａよりも手前側（（ｂ）側）に位置するロック部４１ｂとを有している。ロック解除部４１ａとロック部４１ｂとの間には、左側に往路溝４１ｃが形成され、右側に復路溝４１ｄが形成されている。溝カム４１の内部では、ロック解除部４１ａ，往路溝４１ｃ，ロック部４１ｂ，復路溝４１ｄの各部の境界部に段差が形成されており、ロックピン３６の先端部３６ｂは、ロック解除部４１ａ→往路溝４１ｃ→ロック部４１ｂ→復路溝４１ｄ→ロック解除部４１ａの順でのみ摺動でき、その逆の行程を辿ることができない。
【００７７】
図３では、スライダ４０が付勢部材によって手前側（（ｂ）側）へ移動させられて、スライダ４０が筐体本体２２の前壁部２４に突き当てられている。このとき、ロックピン３６の先端部３６ｂは、溝カム４１のロック解除部４１ａ内に位置している。第１のカードＣ１または第２のカードＣ２が挿入口２９から挿入され、カードと共にスライダ４０が奥側（（ａ）側）へ移動すると、ロックピン３６の先端部３６ｂが、溝カム４１の往路溝４１ｃ内を通過して、図５に示すように、ロック部４１ｂに至る。溝カム４１はロック部４１ｂにおいて奥側（（ａ）側）へ向けて窪むＶ字形状であるため、ロックピン３６の先端部３６ｂがロック部４１ｂに掛止されると、スライダ４０は手前側（（ｂ）側）へ戻らないようにロックされる。
【００７８】
図５に示すように、スライダ４０がロックされている状態から、さらにカードを押してスライダ４０を短い距離だけ奥側（（ａ）側）へ移動させると、ロックピン３６の先端部３６ｂが、溝カム４１のロック部４１ｂから抜け出て、復路溝４１ｄに案内されて、スライダ４０のロックが解除される。カードへの押し力を緩めると、前記付勢部材の力によってスライダ４０が、図３に示す初期位置に復帰し、この間に、ロックピン３６の先端部３６ｂが、復路溝４１ｄからロック解除部４１ａに戻る。
【００７９】
図９（Ａ）（Ｂ）に詳しく示すように、スライダ４０の奥側（（ａ）側）の左側部には第１の当接部４２が設けられている。図３などにも示すように、第１の当接部４２は手前側（（ｂ）側）に向く平面である。図４と図５に示すように、筐体２１内のカード収納領域に第１のカードＣ１が正常な向きで挿入されると、その前端部１ｃの右側部分が第１の当接部４２に当接する。
【００８０】
図９（Ａ）（Ｂ）に示すように、スライダ４０の左側部には、前記第１の当接部４２から手前側（（ｂ）側）に向けて連続して延びる第１の規制部４３が設けられている。第１の規制部４３は、第１の規制凹部４３ａと第１の規制凸部４３ｂとを有している。第１の規制凹部４３ａはスライダ４０の下側において右方向に向けて窪んでおり、第１の規制凸部４３ｂは第１の規制凹部４３ａの上方に張り出している。図４と図５に示すように、筐体２１内のカード収納領域内へ第１のカードＣ１が正常な向きで挿入されると、第１のカードＣ１の右側部１ｅの前方に形成されている薄肉部７が、第１の規制凹部４３ａ内に入り込み、第１の規制凸部４３ｂが第１のカードＣ１の案内溝６内に入り込む。また、第１のカードＣ１の右側部１ｅが、第１の規制凹部４３ａの内端面４３ｃに最小の隙間で対向する。
【００８１】
筐体本体２２の底壁部２８の上面から第１の規制凸部４３ｂの下面までの高さ寸法は、第１のカードＣ１の薄肉部７の厚さ寸法ｔ２よりもわずかに大きく、第１のカードＣ１の厚肉部の厚さ寸法Ｔ１よりも小さい。よって、第１の規制凹部４３ａ内に、第１のカードＣ１の厚肉部が入り込むことはない。
【００８２】
図３に示すように、筐体本体２２の左壁部２７の案内基準面２７ｂと、第１の規制凹部４３ａの内端面４３ｃとの間隔寸法Ｗ１２は、第１のカードＣ１の幅寸法Ｗ０と同じかわずかに大きく設定されて、図４に示すように装着された第１のカードＣ１を、左右方向に位置決することができるようになっている。また、図３に示す第１の規制凹部４３ａの幅寸法Ｗ１３、すなわち第１の規制凸部４３ｂの突出端面４３ｄと第１の規制凹部４３ａの前記内端面４３ｃとの幅寸法Ｗ１３は、第１のカードＣ１の案内溝６ならびに薄肉部７の幅寸法Ｗ１と同じかそれよりもわずかに小さく形成されている。ただし、前記幅寸法Ｗ１３と前記幅寸法Ｗ１とをほぼ一致させることが好ましく、この場合に、第１の規制凸部４３ｂの前記突出端面４３ｄと第１のカードＣ１の案内溝６の内側面６ａとの当接によって、第１のカードＣ１が幅方向に大きくがたつかないように規制する効果を発揮しやすくなる。
【００８３】
図９（Ａ）（Ｂ）に示すように、スライダ４０の左側部では、第１の規制部４３よりも手前側（（ｂ）側）に第２の規制部４５が設けられている。第２の規制部４５は、第２の規制凹部４５ａ、および第２の前方規制凸部４５ｂと第２の後方規制凸部４５ｃとを有している。第２の規制凹部４５ａは、右方向へ向けて窪んで形成されており、第２の前方規制凸部４５ｂと第２の後方規制凸部４５ｃは、第２の規制凹部４５ａの上に張り出している。
【００８４】
筐体本体２２の底壁部２８の上面から、第２の前方規制凸部４５ｂおよび第２の後方規制凸部４５ｃのそれぞれの下面までの高さ寸法は、第２のカードＣ２の薄肉部１７の厚さ寸法ｔｂよりもわずかに大きいが、第２のカードＣ２の厚肉部の厚さ寸法Ｔａよりも小さい。よって、第２のカードＣ２の薄肉部１７が第２の前方規制凸部４５ｂと第２の後方規制凸部４５ｂの下側に入り込むことができるが、第２のカードＣ２の厚肉部は、入り込むことができない。
【００８５】
第２の前方規制凸部４５ｂは第１の規制凸部４３ｂよりも右側に位置しており、第１の規制凸部４３ｂと第２の前方規制凸部４５ｂとの間に形成された段差部が第２の当接部４４となっている。第２の当接部４４は、第１の規制凸部４３ｂと第２および前方規制凸部４５ｂと同じ厚さ寸法で形成されており、その端面は凹曲面である。
【００８６】
図７と図８に示すように、筐体２１内のカード収納領域内へ、第２のカードＣ２が正常な向きで挿入されると、第２のカードＣ２の右側部１１ｅに形成されている薄肉部１７が、第２の前方規制凸部４５ｂおよび第２の後方規制凸部４５ｃの下側に入り込む。また、第２のカードＣ２の厚肉部の右端前方に形成されている厚肉前方コーナー曲面１３ａが第２の当接部４４に当接し、第２のカードＣ２とスライダ４０とが前後方向へ位置決めされる。
【００８７】
図９（Ａ）（Ｂ）に示すように、第２の前方規制凸部４５ｂは第２の後方規制凸部４５ｃよりも左方向への張り出し寸法が大きく、第２の前方規制凸部４５ｂと第２の後方規制凸部４５ｃとの間の段差部に、第３の当接部４６が形成されている。第３の当接部４６は、第２の前方規制凸部４５ｂおよび第２の後方規制凸部４５ｃと同じ厚さ寸法であり、その端面は凹曲面形状である。図６に示すように、カード収納領域内へ第１のカードＣ１が前後逆向きに挿入されると、第１のカードＣ１の後方コーナー曲面４が第３の当接部４６に当たり、それ以上は第１のカードＣ１が挿入されないように規制される。
【００８８】
図９（Ｂ）に示すように、スライダ４０の下部には可動部材５０が設けられている。可動部材５０は、第２の規制凹部４５ａの右側方に位置している。可動部材５０は、スライダ４０と同様に合成樹脂で形成されている。スライダ４０には下方向に延びる支持軸５１が一体に形成されており、可動部材５０の奥側（（ａ）側）の端部が、前記支持軸５１に回動自在に支持されている。また、スライダ４０の下部には付勢部材として板ばね５２が固定されており、この板ばね５２によって、可動部材５０は、図３に示す平面図において、時計方向へ付勢されている。
【００８９】
可動部材５０の左側部には対向側面５３が形成され、それよりも奥側（（ａ）側）の回動支点部には、対向側面５３よりも左側へ突出する操作押圧部５４が設けられている。この操作押圧部５４から前記対向側面５３にかけて、可動部材５０の左側部は凹曲面形状となっている。また、可動部材５０の手前側（（ｂ）側）に向けられている自由端部には、左方向へ突出する第１の仮止め凸部５５が一体に形成されている。
【００９０】
図３に示すように、可動部材５０に外力が作用していないとき、前記対向側面５３は、前後方向に延びる平面であり、左壁部２７に形成された案内基準面２７ｂとほぼ平行である。可動部材５０の前記対向側面５３は、第２のカードＣ２の右側部１１ｅに対向する案内面または規制面としても機能している。そして、前記対向側面５３は、第２の規制凹部４５ａの内端面として機能している。図３に示す、案内基準面２７ｂから前記対向側面５３までの間隔寸法Ｗ１４は、第２のカードＣ２の幅寸法Ｗａと同じかそれよりもわずかに大きい程度である。
【００９１】
また、第２の前方規制凸部４５ｂの突出端面４５ｄから前記対向側面５３までの幅寸法Ｗ１５が、第２の規制凹部４５ａの右方向への奥行き寸法であり、前記幅寸法Ｗ１５は、第２のカードＣ２の薄肉部１７の幅寸法Ｗｂと同じかそれよりもわずかに小さい。
【００９２】
図７と図８に示すように、カード収納領域へ、第２のカードＣ２が正常な向きで挿入され、右側部１１ｅの薄肉部１７が、第２の前方規制凸部４５ｂおよび第２の後方規制凸部４５ｃの下側に入り込んだときに、第２の前方規制凸部４５ｂの突出端面４５ｄと、第２のカードＣ２の案内溝１６の内側面１６ａとが微小な隙間で対向するように、前記幅寸法Ｗ１５が設定されていると、前記突出端面４５ｄによって、第２のカードＣ２が右方向へ大きくがたつかないように規制される。
【００９３】
また、図７と図８に示すように、第２のカードＣ２の薄肉部１７が、第２の規制凹部４５ａ内に入り込んだときに、薄肉部１７の前端部に形成されている薄肉前方コーナー曲面１３ｂが、可動部材５０の操作押圧部５４に当接する。したがって、厚肉前方コーナー曲面１３ａが第２の当接部４４に当たることで、第２のカードＣ２とスライダ４０とが前後に位置決めされることに代えて、薄肉前方コーナー部１３ｂが操作押圧部５４に当たることによって、第２のカードＣ２とスライダ４０とが前後方向に位置決めされてもよい。
【００９４】
図７と図８に示すように、第２のカードＣ２の右側の薄肉部１７が、第２の規制凹部４５ａ内に入り込むと、可動部材５０に形成された第１の仮止め凸部５５が、第２のカードＣ２の薄肉部１７に形成されている掛止凹部１８内に嵌合する。第２のカードＣ２が正常な向きで挿入されると、第２のカードＣ２の薄肉前方コーナー曲面１３ｂが可動部材５０の操作押圧部５４に当たり、第２のカードＣ２を挿入するときの力によって、可動部材５０に時計方向への回動力が作用する。よって、板ばね５２による付勢力が前記回動力で補強されることになり、第１の仮止め凸部５５が、掛止凹部１８内に確実に嵌合する。
【００９５】
また、第２のカードＣ２が正常に挿入された際に、第１の仮止め凸部５５が掛止凹部１８に確実に嵌合できなかったとき、または幅寸法が第２のカードＣ２と同等であるが右側部に掛止凹部１８が形成されていない本来は挿入すべきではないカードが挿入されたときは、第１の仮止め凸部５５が、カードの右側部に当たって可動部材５０が反時計方向へ回動したままとなる。このとき、挿入されているカードの右前方の端部が、可動部材５０に形成されている操作押圧部５４とうまく凹凸嵌合できなくなる。よって、カードは、その前端部が第２の当接部４４に当たることなくそれよりも手前に位置するようになる。よって、そのままカードおよびスライダ４０を奥側（（ａ）側）へ押し込んでも、本来は装着されるべきでないカードが筐体２１内に深く入り込むのを防止できる。
【００９６】
また、図７に示すように、第１の仮止め凸部５５が掛止凹部１８に嵌合している状態から、第２のカードＣ２を手前側（（ｂ）側）へ引き抜いたときは、掛止凹部１８が手前側へ移動する移動力によって可動部材５０が板ばね５２の付勢力に対抗して反時計方向へ回動させられ、第１の仮止め凸部５５が掛止凹部１８から抜け出る。このときの抜け出しを容易にするために、第１の仮止め凸部５５の左方向への突出量は、後方部分５５ｂよりも前方部分５５ａの方が短くなっている。
【００９７】
図９（Ａ）（Ｂ）に示すように、スライダ４０の左側部には、第１の規制部４３と第２の規制部４５とが互いに組み合わされて三次元構造として形成されている。第１の規制凹部４３ａと第２の規制凹部４５ａは、第１の規制凸部４３ｂと第２の前方規制凸部４５ｂならびに第２の後方規制凸部４５ｃの下方において、前後に連続する空間である。
【００９８】
第１のカードＣ１に形成された薄肉部７は、主に第１の規制凹部４３ａ内に入り込み、第２のカードＣ２に形成された薄肉部１７は、第１の規制凹部４３ａよりも後方に位置する第２の規制凹部４５ａ内に入り込む。ただし、第２の前方規制凸部４５ｂの下側に位置する第２の規制凹部４５ａでは、図４において、長さ寸法Ｌ２０および幅寸法Ｗ２０で示す部分が、第１のカードＣ１の薄肉部７と第２のカードＣ２の薄肉部１７の双方が入り込むの領域である。
【００９９】
図２と図３および図９に示すように、スライダ４０の手前側（（ｂ）側）の上面には、保持凹部４８が形成されており、この保持凹部４８内に、板ばね５７が設けられている。板ばね５７は、板ばね材料として機能する金属板で形成されており、Ｕ字状に曲げられて保持凹部４８内に嵌着されている。板ばね５７の自由端には、カード収納領域に向けて山折りとされた第２の仮止め部５７ａが形成されている。
【０１００】
図９（Ａ）（Ｂ）に示すように、第２の仮止め凸部５７ａは、第２の後方規制凸部４５ｃの後方に位置し、且つ第２の後方規制凸部４５ｃと同じ高さに設けられている。図７に示すように、第２のカードＣ２が挿入されと、右側の薄肉部１７は第２の仮止め凸部５７ａの下側を移動する。一方、図４に示すように、第１のカードＣ１が挿入されると、右前方の薄肉部７が第２の仮止め凸部５７ａの下を通過し、その後は、案内溝６の後方の傾斜部６ｂおよび右側部１ｅが第２の仮止め凸部５７ａと摺動する。そして第２の仮止め凸部５７ａは、第１のカードＣ１の右側部に形成された掛止凹部８に嵌合する。
【０１０１】
図３に示すように、第２の仮止め凸部５７ａは、前記第１の仮止め凸部５５よりも手前側（（ｂ）側）へ離れて位置しており、第１の仮止め凸部５５と第２の仮止め凸部５７ａは、互いに重なっていない。また、図９（Ｂ）に示すように、第１の仮止め凸部５５が下側に位置し、第２の仮止め凸部５７ａが上側に位置しており、互いに異なる高さ位置にある。
【０１０２】
図３に示すように、筐体本体２２の底部の奥側（（ａ）側）には、第１の接続端子６１が設けられている。第１の接続端子６１は、図１２に示された第１のカードＣ１の裏面１ｂに露出している外部接続部５と同じ数で且つ同じピッチで配列している。それぞれの第１の接続端子６１には、第１の外部突出端子６２が一対一で設けられている。個々の第１の接続端子６１と第１の外部突出端子６２は、個別に連結されており、表面に金などの低抵抗の貴金属材料がメッキされた導電性の金属板で形成されている。
【０１０３】
第１の接続端子６１は、正常な姿勢で正常な位置に装着された第１のカードＣ１の外部接続部５に個別に接触できる位置に配置され、第１の外部突出端子６２は、筐体本体２２の後壁部２５よりもさらに後方へ突出している。
【０１０４】
筐体本体２２の底部では、前記第１の接続端子６１よりも手前側（（ｂ）側）に、第２の接続端子６３が設けられている。第２の接続端子６３は、図１５に示された第２のカードＣ２の裏面１１ｂに露出している外部接続部１５と同じ数で且つ同じピッチで配列している。それぞれの第２の接続端子６３には、第２の外部突出端子６４が一対一で設けられている。個々の第２の接続端子６３と第２の外部突出端子６４は、個別に連結されており、表面に金などの低抵抗の貴金属材料がメッキされた導電性の金属板で形成されている。
【０１０５】
第２の接続端子６３は、正常な姿勢で正常な位置に装着された第２のカードＣ２の外部接続部１５に個別に接触できる位置に配置され、第２の外部突出端子６４は、筐体本体２２の底壁部の前方の切欠き部内に突出している。
【０１０６】
（第１のカードの正常な装着動作）
図２および図４と図５は、第１のカードＣ１が筐体２１内に正常な向きで装着されるときの動作を示している。
【０１０７】
カードが装着されていない状態では、図３に示すように、スライダ４０が挿入口２９側（（ｂ）側）へ移動している。スライダ４０に支持されている可動部材５０は、板ばね５２によって時計方向へ付勢されているが、図３に示す姿勢で時計方向への回動が規制されている。このとき、対向側面５３が左側の案内基準面２７ｂとほぼ平行に向けられている。
【０１０８】
第１のカードＣ１は、その前端部１ｃが前方に向けられ、表面１ａが上に向けられた姿勢で挿入口２９から挿入される。第１のカードＣ１の左側部１ｆが、筐体本体２２の左壁部２７の内面である案内基準面２７ｂを摺動するように挿入されると、第１のカードＣ１の右側部１ｅは、可動部材５０に形成された第１の仮止め凸部５５の先部に当たることなく通過する。また、挿入途中の第１のカードＣ１の右側部１ｅが第１の仮止め凸部５５に当たって、可動部材５０が反時計方向に回動したとしても、その後は板ばね５２の付勢力によって、可動部材５０は図３に示す姿勢に復帰できる。よって、第１のカードＣ１は、第１の仮止め凸部５５に挿入を阻害されることなく、奥側（（ａ）側）に向けて挿入される。
【０１０９】
第１のカードＣ１が奥側（（ａ）側）に挿入されると、その右側前方に形成されている薄肉部７が、第２の規制凹部４５ａの一部、すなわち図４に示す長さ寸法がＬ２０で幅寸法がＷ２０の領域を通過し、さらに、第１の規制凹部４３ａ内に入る。そして、第１のカードＣ１の前端部１ｃの右側部が、スライダ４０に形成された第１の当接部４２に当接する。図４に示すように、第１のカードＣ１の前端部１ｃが第１の当接部４２に当たると、薄肉部７の上に、スライダ４０に形成された第１の規制凸部４３ｂおよび第２の前方規制凸部４５ｂの一部（長さ寸法がＬ２０で幅寸法がＷ２０の領域）が重なる状態となる。
【０１１０】
また、図４に示すように、第１のカードＣ１の前端部１ｃが第１の当接部４２に当たったときに、第１のカードＣ１の左前方に形成されている薄肉部７が、左壁部２７と一体に形成されている上方案内部３１の下側に入り込む。
【０１１１】
また、第１のカードＣ１が挿入される際に、第１のカードＣ１のケース１の右側に形成された薄肉部７が、スライダ４０の手前側に設けられている第２の仮止め凸部５７ａの下側を通過する。その後、案内溝６の後方の傾斜部６ｂによって、第２の仮止め凸部５７ａが右方向へ押され、板ばね５７が変形して、第１のカードＣ１の右側部１ｅが第２の仮止め凸部５７ａを摺動する。そして、図４に示すように、第１のカードＣ１の前端部１ｃが第１の当接部４２に当たると、板ばね５７の弾性復帰力によって、第２の仮止め凸部５７ａが、第１のカードＣ１の右側部に位置している掛止凹部８に嵌合する。
【０１１２】
このとき、第２の仮止め凸部５７ａが、案内溝６の後方に位置する傾斜部６ｂを摺動するため、第１のカードＣ１を軽い力で筐体２１内に押し込むことで、板ばね５７を変形させることができる。よって、その後は、第１のカードＣ１が筐体２１内から不用意に抜け出るのを防止できる。
【０１１３】
第１のカードＣ１の前端部１ｃが第１の当接部４２に当接した後に、第１のカードＣ１を押し込むと、第１のカードＣ１とスライダ４０とが一体となって奥側へ移動する。第１のカードＣ１が図５に示す装着完了位置に至ると、スライダ４０に形成された溝カム４１のロック部４１ｂが、ロックピン３６の先端部３６ｂに係止されて、スライダ４０がその位置でロックされる。
【０１１４】
このとき、筐体本体２２の奥側に設けられた第１の接続端子６１のそれぞれが、第１のカードＣ１の裏面１ｂに露出する外部接続部５のそれぞれに弾圧して接続される。
【０１１５】
第１のカードＣ１をカードコネクタ２０から離脱させるときは、図５に示すように、第１のカードＣ１が装着されている状態で、第１のカードＣ１を奥側（（ａ）側）へ押す。第１のカードＣ１と共にスライダ４０が少しだけ奥側へ移動すると、ロックピン３６の先端部３６ｂが、溝カム４１のロック部４１ｂから外れ、スライダ４０が付勢部材の力で手前側（（ｂ）側）へ戻される。そして、スライダ４０が図４に示す初期位置に復帰し、第１の接続端子６１と外部接続部５とが離れ、第１のカードＣ１は、その後端部が挿入口２９から所定距離だけ突出した状態で停止する。
【０１１６】
このとき、第２の仮止め凸部５７ａが、第１のカードＣ１の右側の掛止凹部８に嵌合しているため、第１のカードＣ１は、図４に示す状態で仮止めされ、不用意に筐体２１から離脱することがない。そして、第１のカードＣ１を抜くと、第２の仮止め凸部５７ａと掛止凹部８との嵌合が解除され、第１のカードＣ１を挿入口２９から取り出すことができる。
【０１１７】
なお、第１のカードＣ１の正常な姿勢での装着が完了したか否かの確認は、制御部において第１の接続端子６１のそれぞれが外部接続部５に接続されたか否かを監視することで行なわれる。例えば、第１のカードＣ１に設けられた複数の外部接続部５のいずれかがカードの内部回路において短絡されている場合には、短絡されている外部接続部５に対応する第１の接続端子６１が導通するか否かを監視することで、第１のカードＣ１が正常な位置に装着されたか否かを確認できる。
【０１１８】
（第１のカードが逆の向きで挿入されたときの装着動作）
図６は、第１のカードＣ１が後端部１ｄを奥側（（ａ）側）に向けて挿入口２９に挿入された状態を示している。
【０１１９】
第１のカードＣ１の後端部１ｄの両側部には薄肉部７が形成されておらず、後端部１ｄはその幅寸法の全域にわたって厚さ寸法がＴ１である。よって、第１のカードＣ１の後端部１ｄの後方コーナー曲面４が、図９（Ｂ）に示すスライダ４０の第３の当接部４６に当接する。第１のカードＣ１を筐体２１内に十分に挿入できないので、その時点で、使用者が誤った挿入動作であることを認識しやすい。また、図６の状態から、第１のカードＣ１を押し込むと、このカードＣ１と共にスライダ４０が奥側に移動してロック状態になるが、そのときも第１のカードＣ１が筐体２１の内部に十分に挿入されないため、使用者は、第１のカードＣ１の挿入が誤りであることを理解しやすい。
【０１２０】
また、図６に示す姿勢で第１のカードＣ１が挿入されても、第１の接続端子６１と、第１のカードＣ１の外部接続部５とが接触することはないため、制御部が、カードが装着されたと認識することはない。
【０１２１】
図６に示すように、第１のカードＣ１が前後逆向きで挿入され、後方コーナー曲面４がスライダ４０の第３の当接部４６に当たった時点で、第２の仮止め凸部５７ａが第１のカードＣ１に形成されている掛止凹部８に嵌合する。そのため、第１のカードＣ１が誤って挿入され、そのまま押し込まれたとしても、この第１のカードＣ１を仮止めすることができ、誤った向きの第１のカードＣ１が筐体２１から不用意に離脱するのを防止でき、第１のカードＣ１が損傷する確率を低くできる。
【０１２２】
（第２のカードの正常な装着動作）
図７に示すように、第２のカードＣ２は、前端部１１ｃが奥側（（ａ）側）に向けられ、表面１１ａが上に向けられて挿入口２９に挿入される。
【０１２３】
第２のカードＣ２の右側部１１ｅに形成されている薄肉部１７は、スライダ４０の第２の規制凹部４５ａの内部に入り込み、第２の前方規制凸部４５ｂと第２の後方規制凸部４５ｃが、薄肉部１７の上の案内溝１６に入り込む。そして、図１３に示す第２のカードＣ２の右前方に形成されている厚肉前方コーナー曲面１３ａが、スライダ４０に形成された第２の当接部４４に当接し、その後に第２のカードＣ２が押されると、スライダ４０が一緒に奥側（（ａ）側）へ移動可能になる。
【０１２４】
図９に示す第１の仮止め凸部５５は、第２のカードＣ２の薄肉部１７と同じ高さに位置しているため、第２のカードＣ２が挿入されると、最初に、右前方の薄肉前方コーナー曲面１３ｂが第１の仮止め凸部５５に当たり、可動部材５０が板ばね５２の付勢力に対抗して反時計方向へ回動する。さらに第２のカードＣ２が挿入されると、第２のカードＣ２の右側部１１ｅ、すなわち薄肉部の側端面が第１の仮止め凸部５５を摺動する。そして、第２のカードＣ２の右前方の薄肉前方コーナー曲面１３ｂが、可動部材５０の（ａ）側の端部に形成された操作押圧部５４に当たり、同時に第１の仮止め凸部５５が掛止凹部１８に嵌合する。
【０１２５】
前述のように、第２のカードＣ２が挿入されると、右前方の厚肉前方コーナー曲面１３ａが、スライダ４０の第２の当接部４４に当接するが、この第２の当接部４４が設けられておらず、操作押圧部５４が実質的に第２の当接部として機能し、薄肉前方コーナー部１３ｂが操作押圧部５４に当たった後に、第２のカードＣ２とスライダ４０とが一緒に（ａ）側へ移動できるようにしてもよい。
【０１２６】
図７に示す状態から、第２のカードＣ２が押されると、第２のカードＣ２と共にスライダ４０が奥側（（ａ）側）へ移動する。このとき、第２のカードＣ２の右前方の薄肉前方コーナー曲面１３ｂによって、可動部材５０の操作押圧部５４が押され、可動部材５０に時計方向への回動力が作用し続けるので、可動部材５０に形成されている第１の仮止め凸部５５は掛止凹部１８に嵌合した状態を維持できるようになる。
【０１２７】
図９（Ａ）（Ｂ）に示すように、第２の仮止め凸部５７ａは、第２のカードＣ２の右側の案内溝１６と同じ高さに位置しているため、図７に示すように、第２のカードＣ２が挿入される間、案内溝１６が第２の仮止め凸部５７ａを摺動し、第２の仮止め凸部５７ａに外力が作用しない。あるいは、案内溝１６の内側面１６ａが第２の仮止め凸部５７ａに当たって摺動したとしても、そのときの挿入抵抗はわずかである。
【０１２８】
図７に示す状態から、さらに第２のカードＣ２が押し込まれると、第２のカードＣ２とスライダ４０とが一緒に（ａ）方向へ移動し、スライダ４０が図８に示す位置に至ると、ロックピン３６の先端部３６ｂが、溝カム４１のロック部４１ｂに係合し、スライダ４０がロックされる。
【０１２９】
図８に示すスライダ４０のロック位置は、図５に示すロック位置と同じである。ただし、スライダ４０では、第２の当接部４４が第１の当接部４２よりも手前側（（ｂ）側）に位置しているため、第２のカードＣ２に設けられている外部接続部１５は、筐体２１内の第１の接続端子６１に接続されることはなく、それよりも手前側（（ｂ）側）に位置している第２の接続端子６３に接続される。
【０１３０】
制御部において、例えば第２の接続端子６３のうちのいずれかが短絡したか否かを検知するなどして、外部接続部１５が第２の接続端子６３に接続されたことを検知したときに、第２のカードＣ２が装着されたことを確認できる。
【０１３１】
なお、図５と図８に示すように、第１のカードＣ１が正常に装着されたときの、その後端部１ｄは、第２のカードＣ２が正常に装着されたときの、その後端部１１ｄの位置と同じである。
【０１３２】
図１６と図１７は、第１のカードＣ１と第２のカードＣ２を三次元的に組み合わせたものであり、第１のカードＣ１と第２のカードＣ２の後端部１ｄと後端部１１ｄとを一致させ、左側部１ｆと左側部１１ｆを一致させて示している。
【０１３３】
前記カードコネクタ２０では、第１のカードＣ１の左側部１ｆと第２のカードＣ２の左側部１１ｆが、共に筐体本体２２の左壁部２７の内側の案内基準面２７ｂで位置決めされて案内される。そのため、図１６と図１７に示すように、第１のカードＣ１の形状と第２のカードＣ２の形状の違いは、右側部にのみ現れている。前記スライダ４０に、それぞれのカードの右側部の形状の違いに応じて、第１の規制部４３と第２の規制部４５および第１の当接部４２と第２の当接部４４が形成されていることにより、右側の１個のスライダ４０のみで、形状の相違する第１のカードＣ１と第２のカードＣ２をそれぞれ位置決めし、さらにそれぞれのカードを仮止めして、両カードをそれぞれ正確な位置に装着できるようにしている。
【０１３４】
なお、第２のカードＣ２が前後逆向きで挿入口２９へ挿入されようとしたときは、第２のカードＣ２の後端部１１ｄが、図９（Ａ）（Ｂ）に示す、スライダ４０の手前側の端部に形成された後端規制凸部４７に当たるために、筐体２１の内部に挿入されることはない。
【０１３５】
前記実施の形態のカードコネクタ２０では、スライダ４０に可動部材５０が回動自在に支持され、この可動部材５０に第１の仮止め凸部５５が形成されているが、スライダ４０に第１の仮止め凸部材５５が左右方向へ直線移動して突出自在に設けられていてもよい。
【図面の簡単な説明】
【０１３６】
【図１】本発明の実施の形態のカードコネクタを示す斜視図、
【図２】カードコネクタに第１のカードを挿入した状態を、蓋体を外して示す斜視図、
【図３】カードコネクタにカードが挿入されていない状態を、蓋体を外して示す平面図、
【図４】カードコネクタに第１のカードが挿入されてスライダに位置決めされた状態を、蓋体を外して示す平面図、
【図５】カードコネクタに第１のカードが挿入されてスライダがロックされた状態を、蓋体を外して示す平面図、
【図６】カードコネクタに第１のカードが前後逆向きで挿入された状態を、蓋体を外して示す平面図、
【図７】カードコネクタに第２のカードが挿入されてスライダに位置決めされた状態を、蓋体を外して示す平面図、
【図８】カードコネクタに第２のカードが挿入されてスライダがロックされた状態を、蓋体を外して示す平面図、
【図９】（Ａ）（Ｂ）は、カードコネクタに設けられたスライダの左側部の形状を示す斜視図、
【図１０】第１のカードの平面図、
【図１１】第１のカードの左側面図、
【図１２】第１のカードを下から示す斜視図、
【図１３】第２のカードの平面図、
【図１４】（Ａ）は第２のカードの右側面図、（Ｂ）は第２のカードの左側面図、
【図１５】第２のカードを下から示す斜視図、
【図１６】第１のカードと第２のカードの重ねて示す平面図、
【図１７】第１のカードと第２のカードを三次元的に重ねて示す斜視図、
【符号の説明】
【０１３７】
Ｃ１  第１のカード
Ｃ２  第２のカード
１  ケース
１ａ  第１の面である表面
１ｂ  第２の面である裏面
１ｃ  前端部
１ｄ  後端部
１ｅ  右側部
１ｆ  左側部
５  外部接続部
６  案内溝
７  薄肉部
８  掛止凹部
１１  ケース
１１ａ  第１の面である表面
１１ｂ  第２の面である裏面
１１ｃ  前端部
１１ｄ  後端部
１１ｅ  右側部
１１ｆ  左側部
１３ａ  厚肉前方コーナー曲面
１３ｂ  薄肉前方コーナー曲面
１５  外部接続部
１６  案内溝
１７  薄肉部
１８  掛止凹部
２０  カードコネクタ
２１  筐体
２２  筐体本体
２３  蓋体
２３ａ  天井板
２７  左壁部
２７ａ  案内基準面
２９  挿入口
３５  ロック機構
３６  ロックピン
４０  スライダ
４１  溝カム
４２  第１の当接部
４３  第１の規制部
４３ａ  第１の規制凹部
４３ｂ  第１の規制凸部
４４  第２の当接部
４５  第２の規制部
４５ａ  第２の規制凹部
４５ｂ  第２の前方規制凸部
４５ｃ  第２の後方規制凸部
４６  第３の当接部
５０  可動部材
５２  板ばね
５３  対向側面
５４  操作押圧部
５５  第１の仮止め凸部
５７  板ばね
５７ａ  第２の仮止め凸部
【図１】
0004436404.tif 000002
【図２】
0004436404.tif 000003
【図３】
0004436404.tif 000004
【図４】
0004436404.tif 000005
【図５】
0004436404.tif 000006
【図６】
0004436404.tif 000007
【図７】
0004436404.tif 000008
【図８】
0004436404.tif 000009
【図９】
0004436404.tif 000010
【図１０】
0004436404.tif 000011
【図１１】
0004436404.tif 000012
【図１２】
0004436404.tif 000013
【図１３】
0004436404.tif 000014
【図１４】
0004436404.tif 000015
【図１５】
0004436404.tif 000016
【図１６】
0004436404.tif 000017
【図１７】
0004436404.tif 000018